(57)【要約】      （修正有）【課題】キーボードに用いられるパンタグラフ構造のキーにおいて、組み立て作業が容易で、構造的に緩みにくい構造のキーを提供する。【解決手段】内枠１と外枠２によりパンタグラフ構造を成し、内枠１と外枠２とは、弾性を有する接続柱３で固定的に接続され、キーが押圧されると内枠１と外枠２とは、下方に押圧され、接続柱３が弾性変形し、キーがリリースされると、接続柱３の弾性回復力で内枠１と外枠２とは、初期状態に戻り、キーの伝達を実現する。パンタグラフ構造は、二個取り成形工程で成形されることが可能であり、もしくは二色射出成形で成形されることも可能である。【選択図】図１
2018156928.tif 000002
【特許請求の範囲】
【請求項１】
内枠（１）と外枠（２）とを含むキーボードのキー用パンタグラフ構造において、
前記内枠（１）と前記外枠（２）とは、弾性を有する接続柱（３）で固定的に接続され、
キーが押圧されると前記内枠（１）と前記外枠（２）とは、下方に押圧され、前記接続柱（３）が弾性変形し、
前記キーがリリースされると、前記接続柱（３）の弾性回復力で、前記内枠（１）と前記外枠（２）とは初期状態に戻り、キーの伝達を実現する、
ことを特徴とするキーボードのキー用パンタグラフ構造。
【請求項２】
前記内枠（１）及び前記外枠（２）は、矩形の枠体であり、前記内枠（１）は、前記外枠（２）の枠体の中に位置し、前記内枠（１）は、一対の内枠底部壁（１１）と一対の内枠側方壁（１２）とを含み、前記外枠（２）は、一対の外枠底部壁（２１）と一対の外枠側方壁（２２）とを含み、前記接続柱（３）で隣接する前記内枠側方壁（１２）と前記外枠側方壁（２２）とが固定的に接続される、
ことを特徴とする請求項１に記載のキーボードのキー用パンタグラフ構造。
【請求項３】
隣接する前記内枠側方壁（１２）と前記外枠側方壁（２２）とは、前記接続柱（３）の軸方向の両端にそれぞれ固定的に接続される、
ことを特徴とする請求項２に記載のキーボードのキー用パンタグラフ構造。
【請求項４】
前記内枠（１）、前記外枠（２）、及び前記接続柱（３）は、一体的に成形される、
ことを特徴とする請求項１に記載のキーボードのキー用パンタグラフ構造。
【請求項５】
前記パンタグラフ構造は、二個取り成形工程で成形される、
ことを特徴とする請求項４に記載のキーボードのキー用パンタグラフ構造。
【請求項６】
前記接続柱（３）は、弾性材料から形成される、
ことを特徴とする請求項１に記載のキーボードのキー用パンタグラフ構造。
【請求項７】
前記弾性材料は、プラスチックまたはゴムである、
ことを特徴とする請求項６に記載のキーボードのキー用パンタグラフ構造。
【発明の詳細な説明】
【技術分野】
【０００１】
本発明は、パンタグラフ構造に関し、特にキーボードのキー用パンタグラフ構造に関する。
【背景技術】
【０００２】
従来のキーボードのキー構造の伝達機構は、パンタグラフ伝達機構が用いられ、内枠と外枠とを含む。内枠には、対称的な側の延伸方向に沿って、接続軸が設けられている。一方、外枠には、接続軸に対応する位置に、軸穴が設けられている。これにより、内枠と外枠とは、軸穴を介して連結されている。このような構成を有する伝達機構は、製造コストが高く、品質を確保しにくく、組み立て作業が困難で、大量の人員が必要で、製造効率が悪く、軸穴の連結箇所のギャップにより伝達が緩慢になりやすい。
【発明の概要】
【発明が解決しようとする課題】
【０００３】
本発明の目的は、コストが高く、品質を確保しにくく、組み立て作業が困難で、構造的に緩みやすいという従来のパンタグラフ構造の問題を解決する、キーボードのキー用のパンタグラフ構造を提供することである。
【課題を解決するための手段】
【０００４】
本発明のキーボードのキー用のパンタグラフ構造は、弾性を有する接続柱で固定的に接続される内枠と外枠を含み、キーが押圧されると、内枠と外枠とが下方に押圧され、接続柱が弾性変形し、キーがリリースされると、接続柱の弾性回復力で内枠と外枠とが初期状態に戻り、キーの伝達を実現する。
【０００５】
当該外枠及び内枠は、矩形の枠体であり、内枠は、外枠の枠体の中に位置し、内枠は、一対の内枠底部壁と一対の内枠側方壁を含み、外枠は、一対の外枠底部壁と一対の外枠側方壁とを含み、接続柱で隣接する内枠側方壁と外枠側方壁とが固定的に接続される。隣接する内枠側方壁と外枠側方壁とは、接続柱の軸方向の両端にそれぞれ固定的に接続されることが更に好ましい。
【０００６】
内枠、外枠、及び接続柱は、一体的に成形される。この場合、パンタグラフ機構は、二個取り成形工程で成形されてもよい。
【０００７】
接続柱は、弾性材料から形成され、弾性材料は、プラスチック、ゴムなどである。
【発明の効果】
【０００８】
従来技術に比較し、本発明の明らかな利点は、以下の通りである。（１）本発明は、キーボードのキーに用いられるパンタグラフ構造であり、内枠と外枠とは、弾性接続柱で固定的に接続され、弾性材料の変形と弾性回復力で内枠と外枠との伝達が実現され、伝達構造が緊密で、キーボードのキーに用いられる場合、キーの品質を著しく向上させる。（２）本発明のパンタグラフ構造は、二個取り成形工程で成形されることが可能で、内枠と外枠とは、同一の材料で射出成形される。内枠と外枠とは、二色射出成形で成形されることも可能で、内枠と外枠とが射出成形されてから、異なる材料で弾性を有する接続柱が射出成形される。これにより、人員にかかるコストを大幅に低下させ、製造効率を向上させ、所定の品質も確保することができる。
【図面の簡単な説明】
【０００９】
【図１】本発明のキーボードのキーに用いられるパンタグラフ構造を示す図。
【図２】本発明のパンタグラフ構造の外枠構造を示す図。
【図３】本発明のパンタグラフ構造の内枠構造を示す図。
【発明を実施するための形態】
【００１０】
以下、図面を参照しながら、本発明の技術手段を更に説明する。
【００１１】
図１に示すように、本発明のキーボードのキー用パンタグラフ構造は、外枠２と内枠１を含み、さらに、外枠２と内枠１との間に、外枠２と内枠１とを固定的に連結する連結柱３を含む。連結柱３は、弾性を有する弾性材料からなり、たとえば、弾性材料としてプラスチック、ゴムが挙げられる。
【００１２】
外枠２、内枠１は、矩形の枠体であり、内枠１は、外枠２の枠体の中に位置する。
【００１３】
図２と図３に示すように、内枠１は、一対の内枠底部壁１１と一対の内枠側方壁１２とを含む。外枠２は、一対の外枠底部壁２１と一対の外枠側方壁２２とを含む。接続柱３は、隣接する内枠側方壁１２と外枠側方壁２２との間に位置し、内枠側方壁１２と外枠側方壁２２とを固定的に連結する。接続柱３の軸方向の両端は、隣接する内枠側方壁１２と外枠側方壁２２とに固定的に連結してもよい。
【００１４】
本発明のパンタグラフ構造は、キーボードのキーに用いられる。初期状態において、内枠１と外枠２とは、一定の角度で交差し、接続柱３は、押圧力を受けていない状態にある。キーが押圧されると、内枠１と外枠２とは下方に押圧される。この、押圧力により、内枠１と外枠２とは回転し、内枠１と外枠２との交差角度が徐々に小さくなる。これにより、接続柱３は、内枠１と外枠２とに引っ張られて、弾性変形する。キーがリリースされると、押圧力が作用しなくなり、接続柱３は弾性回復力で初期形状に復帰するとともに、内枠と外枠とを初期状態に戻す。このようにして、キーに作用する押圧力がキーに伝達する。
【００１５】
従来の軸穴を介して連結されたパンタグラフ構造に比べて、本発明のパンタグラフ構造は、軸穴を有しておらず、接続柱３の弾性変形と弾性回復力で伝達が実現され、伝達工程が緊密である。キーボードのキーに用いられる場合、キーの伝達品質を著しく向上させる。内枠１と外枠２との間には、弾性を有する接続柱３のみが設けられているため、組立作業を容易に行える。
【００１６】
内枠１、外枠２、及び接続柱３は、一体的に成形するようにしてもよい。この場合、本発明のパンタグラフ機構は、二個取り成形工程で成形されることが可能で、内枠１と外枠２とは、同一の材料で射出成形され、接続柱３は、異なる材料で射出成形される。パンタグラフ機構は、二色射出成形で成形されることも可能で、内枠１と外枠２とが射出成形されてから、弾性のある接続柱が射出成形される。これにより、従来工程に比べて、製造工程を自動化することができ、組立と製造コストを大幅に抑制することができ、製造効率を向上させ、製品の品質の確保も容易となる。
【００１７】
（付記）
（付記１）
内枠（１）と外枠（２）とを含むキーボードのキー用パンタグラフ構造において、
前記内枠（１）と前記外枠（２）とは、弾性を有する接続柱（３）で固定的に接続され、
キーが押圧されると前記内枠（１）と前記外枠（２）とは、下方に押圧され、前記接続柱（３）が弾性変形し、
前記キーがリリースされると、前記接続柱（３）の弾性回復力で、前記内枠（１）と前記外枠（２）とは初期状態に戻り、キーの伝達を実現する、
ことを特徴とするキーボードのキー用パンタグラフ構造。
【００１８】
（付記２）
前記内枠（１）及び前記外枠（２）は、矩形の枠体であり、前記内枠（１）は、前記外枠（２）の枠体の中に位置し、前記内枠（１）は、一対の内枠底部壁（１１）と一対の内枠側方壁（１２）とを含み、前記外枠（２）は、一対の外枠底部壁（２１）と一対の外枠側方壁（２２）とを含み、前記接続柱（３）で隣接する前記内枠側方壁（１２）と前記外枠側方壁（２２）とが固定的に接続される、
ことを特徴とする付記１に記載のキーボードのキー用パンタグラフ構造。
【００１９】
（付記３）
隣接する前記内枠側方壁（１２）と前記外枠側方壁（２２）とは、前記接続柱（３）の軸方向の両端にそれぞれ固定的に接続される、
ことを特徴とする付記２に記載のキーボードのキー用パンタグラフ構造。
【００２０】
（付記４）
前記内枠（１）、前記外枠（２）、及び前記接続柱（３）は、一体的に成形される、
ことを特徴とする付記１に記載のキーボードのキー用パンタグラフ構造。
【００２１】
（付記５）
前記パンタグラフ構造は、二個取り成形工程で成形される、
ことを特徴とする付記４に記載のキーボードのキー用パンタグラフ構造。
【００２２】
（付記６）
前記接続柱（３）は、弾性材料から形成される、
ことを特徴とする付記１に記載のキーボードのキー用パンタグラフ構造。
【００２３】
（付記７）
前記弾性材料は、プラスチックまたはゴムである、
ことを特徴とする付記６に記載のキーボードのキー用パンタグラフ構造。
【図１】
2018156928.tif 000003
【図２】
2018156928.tif 000004
【図３】
2018156928.tif 000005